(57)【要約】【課題】フック部材の破損を抑制し、部材間の連結状態を維持することができる連結構造体及び該連結構造体を備える電子機器を提供する。【解決手段】連結構造体１０は、キーボード装置１４を本体筐体１６に連結した構成であって、キーボード装置１４に設けられた係合穴３６と、本体筐体１６に設けられた支持板３２の上面３２ａから突出し、係合穴３６に係合可能なフック部材３４とを備え、支持板３２は、周辺部に対して弾性変位可能に設けられた板ばね部５０を有し、フック部材３４は、板ばね部５０に設けられている。【選択図】図４
2019185241.tif 000002
【特許請求の範囲】
【請求項１】
第１の部材を第２の部材に連結した連結構造体であって、
前記第１の部材に設けられた係合穴と、
前記第２の部材に設けられた板状部の表面から突出し、前記係合穴に係合可能なフック部材と、
を備え、
前記板状部は、周辺部に対して弾性変位可能に設けられた板ばね部を有し、
前記フック部材は、前記板ばね部に設けられていることを特徴とする連結構造体。
【請求項２】
請求項１に記載の連結構造体であって、
前記板状部には、前記フック部材の３方を囲むように設けられ、内側に前記板ばね部を形成した切欠状孔部が設けられていることを特徴とする連結構造体。
【請求項３】
請求項２に記載の連結構造体であって、
前記フック部材は、前記板ばね部の表面から起立した基部と、該基部の先端から前記表面に沿う方向に屈曲した爪部と、を有し、
前記切欠状孔部は、前記フック部材の両側部に設けられた一対の側部孔と、該一対の側部孔間を繋ぎ、前記爪部の突出方向の反対側となる前記基部の背後に設けられた背部孔と、を有することを特徴とする連結構造体。
【請求項４】
請求項１〜３のいずれか１項に記載の連結構造体において、
前記板状部及び前記フック部材は、強化繊維を含む樹脂材料によって一体成形されており、
前記フック部材は、前記板ばね部から突出する根本部分にＲ形状部を有することを特徴とする連結構造体。
【請求項５】
第１の部材を第２の部材に連結した連結構造体であって、
前記第１の部材に設けられた係合穴と、
前記第２の部材に設けられ板状部の表面から突出し、前記係合穴に係合可能なフック部材と、
を備え、
前記板状部及び前記フック部材は、強化繊維を含む樹脂材料で一体成形されており、
前記フック部材は、前記板状部から突出する根本部分にＲ形状を有することを特徴とする連結構造体。
【請求項６】
請求項１〜５のいずれか１項に記載の連結構造体を備える電子機器であって、
前記第１の部材は、キーボード装置であり、
前記第２の部材は、前記キーボード装置がその上面に装着される筐体であることを特徴とする電子機器。
【発明の詳細な説明】
【技術分野】
【０００１】
本発明は、２つの部材を連結した連結構造体及び該連結構造体を備える電子機器に関する。
【背景技術】
【０００２】
ノートブック型パーソナルコンピュータ（ノート型ＰＣ）等の電子機器は、通常、本体筐体の上面にキーボード装置を設けている。例えば特許文献１には、本体筐体の上面に凹部を設け、この凹部にキーボード装置を収納した構成が開示されている。この構成では、キーボード装置の下面から突出したフック部材を凹部の底面に設けた係合穴に係合させることにより、キーボード装置を本体筐体に固定している。
【先行技術文献】
【特許文献】
【０００３】
【特許文献１】特開平１１−２６５２５１号公報
【発明の概要】
【発明が解決しようとする課題】
【０００４】
ところで、上記特許文献１のように、キーボード装置を本体筐体に対してフック部材を用いて連結した電子機器が、落下等による衝撃を受けた場合、キーボード装置が本体筐体から分離する方向に大きな負荷を受けることがある。そうすると、キーボード装置と本体筐体との間では、フック部材の根本部分に応力集中を生じ、フック部材が根本部分から剥離し、或いは折損する懸念がある。フック部材が破損すると、キーボード装置が本体筐体から脱落し、或いは両者の連結状態ががたつきを生じて不安定になる可能性がある。
【０００５】
本発明は、上記従来技術の課題を考慮してなされたものであり、フック部材の破損を抑制し、部材間の連結状態を維持することができる連結構造体及び該連結構造体を備える電子機器を提供することを目的とする。
【課題を解決するための手段】
【０００６】
本発明の第１態様に係る連結構造体は、第１の部材を第２の部材に連結した連結構造体であって、前記第１の部材に設けられた係合穴と、前記第２の部材に設けられた板状部の表面から突出し、前記係合穴に係合可能なフック部材と、を備え、前記板状部は、周辺部に対して弾性変位可能に設けられた板ばね部を有し、前記フック部材は、前記板ばね部に設けられている。
【０００７】
このような構成によれば、例えば当該連結構造体の落下等により、第１の部材と第２の部材との間を分離する方向の衝撃が付与されてフック部材が負荷を受けると、板ばね部が周辺部に対して弾性変位し、フック部材が係合穴に係合したまま変位する。これにより、フック部材と板状部との境界部分に応力集中が生じることが抑制される。その結果、フック部材の根元部分が板状部から剥離し、或いはフック部材の爪部やその周辺部に亀裂等を生じることを防止できる。
【０００８】
前記板状部には、前記フック部材の３方を囲むように設けられ、内側に前記板ばね部を形成した切欠状孔部が設けられた構成としてもよい。そうすると、簡素な構成でフック部材を弾性変位させる板ばね部を形成することができる。
【０００９】
前記フック部材は、前記板ばね部の表面から起立した基部と、該基部の先端から前記表面に沿う方向に屈曲した爪部と、を有し、前記切欠状孔部は、前記フック部材の両側部に設けられた一対の側部孔と、該一対の側部孔間を繋ぎ、前記爪部の突出方向の反対側となる前記基部の背後に設けられた背部孔と、を有する構成としてもよい。そうすると、板ばね部が周辺部に対して弾性変位した際、フック部材は、その爪部が係合部により深くかかる方向に回動する。その結果、フック部材が係合穴から脱落することをより確実に防止できる。
【００１０】
前記板状部及び前記フック部材は、強化繊維を含む樹脂材料によって一体成形されており、前記フック部材は、前記板ばね部から突出する根本部分にＲ形状部を有する構成としてもよい。そうすると、フック部材のうちで最も応力集中を生じ易い根本部分の内部で、強化繊維がＲ形状部に沿って円弧上に配列される。従って、フック部材が負荷を受けた場合であっても、Ｒ形状部に沿って延びた強化繊維によって、その根元部分が極めて強固に構成されているため、この部分から剥離や亀裂を生じることを防止できる。
【００１１】
本発明の第２態様に係る連結構造体は、第１の部材を第２の部材に連結した連結構造体であって、前記第１の部材に設けられた係合穴と、前記第２の部材に設けられた板状部の表面から突出し、前記係合穴に係合可能なフック部材と、を備え、前記板状部及び前記フック部材は、強化繊維を含む樹脂材料で一体成形されており、前記フック部材は、前記板状部から突出する根本部分にＲ形状を有する。
【００１２】
本発明の第３態様に係る電子機器は、上記構成の連結構造体を備える電子機器であって、前記第１の部材は、キーボード装置であり、前記第２の部材は、前記キーボード装置がその上面に装着される筐体である。
【発明の効果】
【００１３】
本発明の上記態様によれば、フック部材の破損を抑制し、部材間の連結状態を維持することができる。
【図面の簡単な説明】
【００１４】
【図１】図１は、本発明の一実施形態に係る連結構造体を備える電子機器の斜視図である。
【図２】図２は、本体筐体にキーボード装置を取り付ける状態を説明する分解斜視図である。
【図３Ａ】図３Ａは、キーボード装置を本体筐体に取り付ける直前の状態でのフック部材及びその周辺部の断面構造を模式的に示す側面断面図である。
【図３Ｂ】図３Ｂは、図３Ａに示すフック部材を係合穴に係合させた状態での側面断面図である。
【図４】図４は、フック部材及びその周辺部を拡大した斜視図である。
【図５】図５は、図４に示すフック部材及びその周辺部の平面図である。
【図６】図６は、キーボード装置が本体筐体から上方に移動した状態でのフック部材及びその周辺部の断面構造を模式的に示す側面断面図である。
【図７】図７は、変形例に係るフック部材及びその周辺部の平面図である。
【図８】図８は、別の変形例に係るフック部材及びその周辺部の平面図である。
【図９Ａ】図９Ａは、Ｒ形状部を有するフック部材の構成を模式的に示した側面断面図である。
【図９Ｂ】図９Ｂは、Ｒ形状部を持たないフック部材の構成を模式的に示した側面断面図である。
【発明を実施するための形態】
【００１５】
以下、本発明に係る連結構造体について、この連結構造体を備える電子機器を例示して好適な実施の形態を挙げ、添付の図面を参照しながら詳細に説明する。
【００１６】
図１は、本発明の一実施形態に係る連結構造体１０を備える電子機器１２の斜視図である。連結構造体１０は、キーボード装置１４を本体筐体１６に連結したものである。以下では連結構造体１０について、図１に示す電子機器１２に搭載した状態での使用形態を基準とし、手前側を前、奥側を後、厚み方向を上下、幅方向を左右と呼んで説明する。
【００１７】
図１に示すように、電子機器１２は、キーボード装置１４を有する本体筐体１６と、液晶ディスプレイ等のディスプレイ装置２０ａを有するディスプレイ筐体２０とを備えたノート型ＰＣである。ディスプレイ筐体２０は、左右一対のヒンジ２２，２２により本体筐体１６に対して開閉可能に連結されている。
【００１８】
本体筐体１６の内部には、図示しない基板、演算処理装置、ハードディスク装置、メモリ等の各種電子部品が収納されている。本体筐体１６の上面１６ａには、後から前に向かって順に、キーボード装置１４、押しボタン２３，２４，２５、タッチパッド２６が並んでいる。キーボード装置１４の略中央にはポインティングスティック２７が設けられている。
【００１９】
キーボード装置１４は、複数のキー２８を有し、各キー２８の周囲がフレーム２９で仕切られたアイソレーション型である。つまりフレーム２９は、各キー２８のキートップが上下動可能に挿入される複数の孔部を有する。タッチパッド２６及びポインティングスティック２７は、ディスプレイ装置２０ａに表示されるカーソル（マウスポインタ）を操作するためのものであり、マウスの代わりとして操作可能な入力手段である。押しボタン２３〜２５は、タッチパッド２６又はポインティングスティック２７によるカーソル操作と連係して機能する。例えば押しボタン２３〜２５は、それぞれ一般的なマウスでの左ボタン、中央ボタン、右ボタンに対応する。
【００２０】
次に、キーボード装置１４と本体筐体１６との連結構造体１０について説明する。図２は、本体筐体１６にキーボード装置１４を取り付ける状態を説明する分解斜視図である。
【００２１】
図２に示すように、本体筐体１６は、上カバー３０と、下カバー３１とで薄型箱状に形成されている。上カバー３０は、その上面１６ａにキーボード装置１４の外形に対応した浅いバスタブ状の収納凹部３０ａが形成されている。収納凹部３０ａは、上カバー３０の上面１６ａより一段低い位置に設けられた支持板（板状部）３２の上面（表面）３２ａ側に形成されている。つまり支持板３２は、その上面３２ａが収納凹部３０ａの底面となる。支持板３２は、キーボード装置１４が載置される板状部であり、本体筐体１６内をキーボード装置１４が配置される上部と、基板や演算処理装置等が設けられる下部とに仕切っている。支持板３２は、上面３２ａの適宜位置に複数のフック部材３４が突出形成されている。収納凹部３０ａの前部中央には、ボタン収納凹部３０ｂ及びパッド収納凹部３０ｃが設けられている。ボタン収納凹部３０ｂは、押しボタン２３〜２５の取付部であり、パッド収納凹部３０ｃは、タッチパッド２６の取付部である。また、支持板３２には、キーボード装置１４からの図示しない配線等を通すための複数の孔部３０ｄが適宜位置に形成されている。
【００２２】
キーボード装置１４は、収納凹部３０ａに対して上から置くように取り付けるトップマウント構造である。その際、上面３２ａから突出した各フック部材３４の一部又は全部をキーボード装置１４のフレーム２９の下面に設けた各係合穴３６（図３Ａ及び図３Ｂ参照）に係合させることにより、キーボード装置１４を本体筐体１６に取り付けできる。
【００２３】
図３Ａは、キーボード装置１４を本体筐体１６に取り付ける直前の状態でのフック部材３４及びその周辺部の断面構造を模式的に示す側面断面図である。図３Ｂは、図３Ａに示すフック部材３４を係合穴３６に係合させた状態での側面断面図である。
【００２４】
図３Ａ及び図３Ｂに示すように、キーボード装置１４は、ベースプレート４０と、メンブレンシート４２と、バックライトシート４４とを備える。
【００２５】
ベースプレート４０は、各キー２８の取付板である。ベースプレート４０は、例えば板厚０．３ｍｍのステンレス板やアルミニウム板等、金属製の板状部材に切り起こし成形や打ち抜き成形を施したものである。各キー２８は、そのキートップがベースプレート４０の上面側で図示しないガイド機構及びラバードームを用いて上下動可能に支持される。ガイド機構は、例えばキートップの下面とベースプレート４０の上面との間を連結するパンタグラフ機構である。ラバードームは、例えばシリコーンゴム等の可撓性を有する弾性材料で形成されたドーム形状部材であり、メンブレンシート４２とキートップとの間に配設される。ベースプレート４０は、その前部中央に前方に突出したボタンプレート４５を有する（図２参照）。ボタンプレート４５は、押しボタン２３〜２５の支持部となる。ボタンプレート４５は、本体筐体１６のボタン収納凹部３０ｂに収納配置される。
【００２６】
メンブレンシート４２は、ベースプレート４０の上面に積層されている。メンブレンシート４２は、例えば押圧された場合に接点が閉じる三層構造のスイッチシートである。メンブレンシート４２は、例えば固定接点及び可動接点が重なる位置が押圧された場合に、固定接点と可動接点とが密着することで接点を閉じるものである。メンブレンシート４２は、ベースプレート４０の下面側に積層されてもよい。上記したラバードームは、キー２８が押下された場合にメンブレンシート４２を押圧すると共に、キー２８の押下操作が解除された際にキー２８を元の位置に復帰させる。
【００２７】
バックライトシート４４は、ベースプレート４０の下面に積層されている。バックライトシート４４は、例えばＰＥＴやポリカーボネート、アクリル等の透光性を有する樹脂製の光ガイドプレート等を含み、その左右中央或いは左右端部にＬＥＤ素子等の光源を有する。バックライトシート４４は、光源から発せられた光を左右方向に導き、光反射面で反射して各キー２８のキートップを裏面から照射する。バックライトシート４４に代えて、ゴム製や樹脂製の防水シートを設けてもよい。
【００２８】
フレーム２９は、その下面の適宜位置に複数の係合穴３６が形成されている。フレーム２９は、メンブレンシート４２の各所に形成された貫通孔を利用した係合構造やねじ構造により、ベースプレート４０と固定される。係合穴３６は、フック部材３４を挿入可能であり、且つフック部材３４を係合方向（後方）に移動可能な形状を有する。係合穴３６は、フック部材３４の係合方向奥側に、フック部材３４の爪部３４ａが係合する板状の係合部３６ａを有する。キーボード装置１４は、各係合穴３６の下方に重なる位置に、フック部材３４を挿入可能な貫通孔１４ａを有する。貫通孔１４ａは、メンブレンシート４２、ベースプレート４０、バックライトシート４４までを上から下に向かって貫通している。
【００２９】
フック部材３４は、収納凹部３０ａの上面３２ａから起立した基部３４ｂと、基部３４ｂの先端から後方に向かって突出した爪部３４ａとを有する。連結構造体１０では、フック部材３４がキーボード装置１４側に設けられ、係合穴３６が本体筐体１６側に設けられてもよい。
【００３０】
従って、キーボード装置１４を本体筐体１６に対して取り付ける際は、キーボード装置１４を後下がりの傾斜姿勢としつつ、その後端面１４ｂを収納凹部３０ａの後内壁面３０ｅに押し当てる（図２及び図３Ａ参照）。続いて、キーボード装置１４を収納凹部３０ａ内に置いて、その下面１４ｃを収納凹部３０ａの上面３２ａ上に載置する。これにより、フック部材３４が貫通孔１４ａを通って係合穴３６に挿入される。そこで、キーボード装置１４を収納凹部３０ａ内で前方にスライドさせることにより、フック部材３４が係合穴３６と係合する（図３Ｂ参照）。その結果、キーボード装置１４が本体筐体１６に対して固定され、連結構造体１０が構成される。本実施形態の場合、係合穴３６は、貫通孔１４ａを通してキーボード装置１４の下面１４ｃに臨む構成となっているが、係合穴３６はベースプレート４０に設けられてもよい。
【００３１】
次に、フック部材３４及びその周辺部の具体的な構成について説明する。図４は、フック部材３４及びその周辺部を拡大した斜視図である。図５は、図４に示すフック部材３４及びその周辺部の平面図である。
【００３２】
図４及び図５に示すように、支持板３２は、板ばね部５０を有し、板ばね部５０の上面３２ａにフック部材３４が設けられている。支持板３２には、フック部材３４の左右側部と前部の３方を囲むように設けられた切欠状孔部５２が形成されている。切欠状孔部５２は、一対の側部孔５２ａ，５２ａと、背部孔５２ｂとで平面視略Ｕ字状に形成されている。各側部孔５２ａは、フック部材３４の幅方向で左右側部にそれぞれ設けられ、フック部材３４の係合穴３６に対する係合方向（前後方向）に沿って延在している。背部孔５２ｂは、一対の側部孔５２ａ，５２ａ間を繋いでいる。背部孔５２ｂは、フック部材３４の爪部３４ａの基部３４ｂからの突出方向（後方）の反対側となる基部３４ｂの背後（前方）に配置され、フック部材３４の幅方向に沿って延在している。
【００３３】
板ばね部５０は、切欠状孔部５２の内側に形成されている。これにより、板ばね部５０は、各側部孔５２ａの端部５２ｃ，５２ｃ間の基端部分を支点とし、前端部５０ａが支持板３２の板厚方向（上下方向）に揺動する方向に弾性変位可能である。
【００３４】
本実施形態の場合、支持板３２（及び上カバー３０）は、例えばポリエチレン樹脂やポリプロピレン樹脂等の熱可塑性樹脂（図７Ａに示すマトリクス樹脂６２）にガラス繊維等の強化繊維６４（図７Ａ参照）を含有させた繊維強化樹脂（例えば、ＧＦＲＰ）であり、例えば射出成形で形成される。本実施形態の場合、フック部材３４は、支持板３２と一体成形される。フック部材３４は、爪部３４ａがアンダーカットとなる。このため、支持板３２は、離型のための孔部３２ｂを爪部３４ａに重なる位置に有する。フック部材３４は、基部３４ｂの支持板３２に対する爪部３４ａ側の根元部分にＲ形状部３４ｃを有する。本実施形態の場合、フック部材３４は、基部３４ｂの爪部３４ａ側の面（後面）が孔部３２ｂ内に配置されているため、Ｒ形状部３４ｃは孔部３２ｂ内に介在している。支持板３２が孔部３２ｂを持たない構造である場合、Ｒ形状部３４ｃは、爪部３４ａ側の支持板３２の上面３２ａと基部３４ｂとの角部に設ければよい。フック部材３４及び支持板３２（及び上カバー３０）は、強化繊維６４を含まない樹脂或いはマグネシウム等の金属材料で構成されてもよい。
【００３５】
従って、当該連結構造体１０では、仮に落下等の衝撃によってキーボード装置１４が本体筐体１６から上方へと相対移動した場合、フック部材３４が係合穴３６から上方への負荷を受ける。そうすると、図６に示すように、板ばね部５０が側部孔５２ａの端部５２ｃ側の基端部を揺動支点とし、前端部５０ａ側が上方に弾性移動する。つまり、フック部材３４を設けた板ばね部５０が周辺部に対して弾性変位する。このため、フック部材３４と支持板３２との境界部分に応力集中が生じることが抑制される。その結果、フック部材３４の根元部分が支持板３２から剥離し、或いはフック部材３４の爪部３４ａやその周辺部に亀裂等を生じることを防止できる。しかも当該連結構造体１０は、板ばね部５０が弾性変位した際、爪部３４ａが係合部３６ａにより深くかかる方向、つまりフック部材３４が図６中で時計方向に回動する。このため、キーボード装置１４が本体筐体１６から上方へと相対移動すると、フック部材３４が係合穴３６により深く係合するため、フック部材３４が係合穴３６から脱落することも防止できる。
【００３６】
なお、板ばね部５０の形状、つまり切欠状孔部５２の形状は、フック部材３４を円滑に弾性変位可能であれば図４及び図５に示す形状以外であっても勿論よい。例えば、図７に示す切欠状孔部５４は、円弧状の背部孔５２ｂによって左右の側部孔５２ａ，５２ａ間を繋いだ形状である。図８に示す切欠状孔部５６は、図５に示す切欠状孔部５２を前後方向で反転した形状である。なお、図８に示す切欠状孔部５６によって形成される板ばね部５８は、仮に衝撃等によってキーボード装置１４が本体筐体１６から上方へと相対移動した場合、爪部３４ａの先端側の後端部５８ａが上方に持ち上がる。このため、フック部材３４は、図６中に示す時計方向とは逆の反時計方向に揺動してしまう。その結果、図６に示す板ばね部５０のように、フック部材３４が係合穴３６により深く係合する作用は得られないが、例えば支持板３２の構造上、切欠状孔部５２（５４）を設置できない部位等に対しては有効に利用できる。
【００３７】
また、切欠状孔部５２（５４，５６）は、例えば支持板３２の構造上、左右の側部孔５２ａの長さを同一長さで確保できない場合等には、左右の側部孔５２ａの前後方向長さが異なった形状にしてもよい。さらに、図２に示すように、支持板３２がフック部材３４の近傍に孔部３０ｄを有する場合には、例えば一方の側部孔５２ａ（或いは背部孔５２ｂ）を孔部３０ｄで代用してもよい。
【００３８】
図９Ａは、Ｒ形状部３４ｃを有するフック部材３４の構成を模式的に示した側面断面図である。図９Ｂは、Ｒ形状部３４ｃを持たないフック部材６０の構成を模式的に示した側面断面図である。なお、図９Ｂに示すフック部材６０において、図９Ａに示すフック部材３４の参照符号と同一の参照符号は、同一又は同様な構成を示し、このため同一又は同様な機能及び効果を奏するものとして詳細な説明を省略する。
【００３９】
本実施形態のフック部材３４は、基部３４ｂの支持板３２に対する根元部分にＲ形状部３４ｃを有し、繊維強化樹脂で形成されている。このため、図９Ａに示すように、フック部材３４を形成するマトリクス樹脂６２内では、強化繊維６４が板ばね部５０（支持板３２）から基部３４ｂを経て爪部３４ａに向かう方向（又はその逆方向）に延在した構造となっている。この際、Ｒ形状部３４ｃ付近では、図９Ａ中に１点鎖線の丸印で囲んで太線で誇張した強化繊維６４のように、強化繊維６４がＲ形状に沿って板ばね部５０（支持板３２）から基部３４ｂへと円弧状に配列されている。従って、図６に示すように、例えばフック部材３４に上方への負荷が加えられた場合、フック部材３４は、爪部３４ａ側を向いた基部３４ｂの根本部分（Ｒ形状部３４ｃ）に応力集中を生じる懸念がある。ところが、本実施形態のフック部材３４は、Ｒ形状部３４ｃに沿って延びた強化繊維６４によって、その根元部分が極めて強固に構成されているため、この部分から剥離や亀裂を生じることを防止できる。
【００４０】
換言すれば、フック部材３４は、Ｒ形状部３４ｃを設けることにより、板ばね部５０を省略した構成としてもその強度を高めることができる。このため、連結構造体１０の要求性能等によっては、繊維強化樹脂にＲ形状部３４ｃを設けたフック部材３４を備えることにより、板ばね部５０を省略することもできる。勿論、板ばね部５０とＲ形状部３４ｃとを併用することにより、フック部材３４の破損を一層確実に防止することが可能となる。
【００４１】
一方、図９Ｂに示すフック部材６０は、爪部３４ａ側を向いた基部３４ｂの根本部分にＲ形状部３４ｃを持たないため、この部分に平坦面６６が配設されている。このため、平坦面６６付近では、板ばね部５０（支持板３２）から基部３４ｂへと向かう強化繊維６４が直角に立ち上がった平坦面６６に突き当り、その端部が平坦面６６を臨むように直線状に配列される。従って、例えばフック部材６０に上方への負荷が加えられた場合、フック部材６０が爪部３４ａ側を向いた基部３４ｂの根本部分に応力集中を生じると、平坦面６６に対して直線状に臨んだ強化繊維６４の端部を起点とする剥離や亀裂を生じる懸念がある（図９Ｂ中の矢印参照）。但し、このようなフック部材６０であっても、板ばね部５０と共に用いることにより、その破損を抑制できるため、連結構造体１０の要求性能等によっては好適に利用できる。
【００４２】
なお、本発明は、上記した実施形態に限定されるものではなく、本発明の主旨を逸脱しない範囲で自由に変更できることは勿論である。
【００４３】
上記実施形態では、連結構造体１０を構成する２つの部材として、キーボード装置１４と本体筐体１６とを例示したが、当該連結構造体１０は、他の部材を連結したものでもよい。例えば、当該電子機器１２を例にとると、本体筐体１６の上カバー３０と下カバー３１との連結や、本体筐体１６内の各種電子部品の固定等に利用してもよい。また、当該連結構造体１０は、ノート型ＰＣ以外の電子機器や電子機器以外の機械筐体や機械装置等に用いてもよい。
【符号の説明】
【００４４】
１０  連結構造体
１２  電子機器
１４  キーボード装置
１６  本体筐体
３２  支持板
３２ａ  上面
３４，６０  フック部材
３４ａ  爪部
３４ｂ  基部
３４ｃ  Ｒ形状部
３６  係合穴
５０，５８  板ばね部
５２，５４，５６  切欠状孔部
５２ａ  側部孔
５２ｂ  背部孔
６２  マトリクス樹脂
６４  強化繊維
【図１】
2019185241.tif 000003
【図２】
2019185241.tif 000004
【図３Ａ】
2019185241.tif 000005
【図３Ｂ】
2019185241.tif 000006
【図４】
2019185241.tif 000007
【図５】
2019185241.tif 000008
【図６】
2019185241.tif 000009
【図７】
2019185241.tif 000010
【図８】
2019185241.tif 000011
【図９Ａ】
2019185241.tif 000012
【図９Ｂ】
2019185241.tif 000013